(57)【要約】【課題】一のアプリケーション装置で複数種のサービスアプリケーションを追加・削除することができ、かつ、設計・制作が容易である非接触ＩＣカード応用システムを提供する。【解決手段】一のアプリケーションが格納されているアプリケーション装置と、該アプリケーション装置に格納されているアプリケーションを実行・削除可能な対応アクセスキーが格納されてなる非接触ＩＣカードと、を有して構成されてなり、上記アプリケーション装置は、上記一のアプリケーションとは異なるアプリケーションが追加・削除可能であり、また、上記非接触ＩＣカードは、上記アプリケーション装置に格納された上記追加されたアプリケーションを実行・削除可能とするための対応するアクセスキーが格納されて構成されてなり、該アクセスキーは、マスターカードによってのみ起動可能とした。【選択図】          図１
2004287985.tif 000002
【特許請求の範囲】
【請求項１】
一のアプリケーションが格納されているアプリケーション装置と、該アプリケーション装置に格納されているアプリケーションを実行・削除可能な対応アクセスキーが格納されてなる非接触ＩＣカードと、を有して構成されてなり、上記アプリケーション装置は、上記一のアプリケーションとは異なるアプリケーションが追加・削除可能であり、また、上記非接触ＩＣカードは、上記アプリケーション装置に格納された上記追加されたアプリケーションを実行・削除可能とするための対応するアクセスキーが格納されて構成されてなり、該アクセスキーは、マスターカードによってのみ起動可能であることを特徴とする非接触ＩＣカード応用システム。
【請求項２】
前記非接触ＩＣカードに格納された一または追加・削除の対象アプリケーションに対応したデータを読み書きするために必要なアクセスキーを格納したアクセスキー格納部と、
前記マスターカードにアクセスするために必要なアクセスキーが格納されたマスターキー格納部と、
上記マスターキーを使用してマスターカードを認識するマスターキー制御部と、上記マスターカードを認識したときのみ前記アクセスキー格納部の内容を登録・変更可能とするアクセスキー制御部と、を備えたことを特徴とする請求項１に記載の非接触ＩＣカード応用システム。
【請求項３】
前記非接触ＩＣカード応用システムは、非接触ＩＣカードをリード・ライタするリード・ライタ部と、
前記アクセスキー格納部、前記マスターキー格納部、前記マスターキー制御部、前記アクセスキー制御部及び非接触ＩＣカード応用システムが制御すべきアプリケーション装置を駆動するアプリケーション駆動部と、
を備えたことを特徴とする請求項１又は請求項２のいずれかに記載の非接触ＩＣカード応用システム。
【請求項４】
前記アプリケーション駆動部は、予め定められた動作を基に外部に接続された表示器、音響器、及び各種アプリケーションに対応した機器、装置を制御するインタフェースを備えてなることを特徴とする請求項１乃至請求項３のいずれかに記載の非接触ＩＣカード応用システム。
【発明の詳細な説明】
【０００１】
【発明の属する技術分野】
この発明は、非接触ＩＣカード応用システムに関する。
【０００２】
【従来の技術】
近年、非接触ＩＣカードを利用した応用システムが多数提案されている。
非接触ＩＣカードは、クレジットカード大のプラスチックカードにＩＣチップとアンテナを搭載しており、非接触ＩＣカード応用装置（リード・ライタ装置）との間で微弱な電磁波を送受信し動作するものであり、高セキュリティ、高信頼性、マルチアプリケーションに対応する等の特徴を有している。
【０００３】
例えば、特許文献１や特許文献２等に示すように、ＩＣカードと非接触ＩＣカード応用システムとの通信は暗号化されている他、非接触ＩＣカード応用システムとの間で相互認証を実施し、さらにＩＣカードと非接触ＩＣカード応用システム双方が相互認証をするための特定情報を各々に持つため偽造・変造が困難となっている。
【０００４】
【特許文献１】
特開２００３−０１６３９８号
【０００５】
【特許文献２】
特開２０００−１３２６５０号
【０００６】
また、それぞれのＩＣカードにはＣＰＵとメモリが搭載されているため―枚のＩＣ力―ドで複数のサービス（アプリケーション）  に対応でき、各アプリケーション各々に対応した相互認証をＩＣカードと非接触ＩＣカード応用システムで行うことができる。
【０００７】
このような非接触ＩＣカードを使用できるシステムとしては、以下のようなものが提案及び実施されている。
・クレジットカードシステム
・キヤッシュカードシステム
・プリペイドカードシステム
・定期券システム
・ＩＤカード（住民票、社員証、学生証、会員カード、診察券、免許証、保険証等）システム
・ポイントカードシステム
・チケット（映画、コンサート、乗車券、航空券等）システム
・セキュリティ（入退室、認証等）システム
・上記全ての組合せを可能としたシステム
【０００８】
また、非接触ＩＣカード技術を利用し、非接触ＩＣカードと同等の機能を有する製品（携帯電話、名札、荷札、鑑札、個体識別、バッチ、シール、腕時計、指輪、装飾品等）に非接触ＩＣカードと同様の機能を持つ超小型チップを着装して応用するシステムとして以下のものが実施・提案されている。
・クレジットカードシステム
・キヤッシュカードシステム
・プリペイドカードシステム
・定期券システム
・ＩＤカード（住民票、社員証、学生証、会員カード、診察券、免許証、保険証等）システム
・ポイントカードシステム
・チケット（映画、コンサート、乗車券、航空券等）システム
・セキュリティ（入退室、認証等）システム
・物流システム
・在庫・商品管理システム
・受発注システム
・バーコード・ＩＤタグの代替
・上記全ての組合せを可能としたシステム
【０００９】
そして、近年では使用者の便宜のため同一使用者が保有する１枚の非接触ＩＣカードで複数のシステムを利用できるようになってきている。
【００１０】
これは、例えば、社員証、プリペイドカード、クレジットカード、及びポイントカードなどを一枚の非接触ＩＣカードで兼用できるようにしたものである。
【００１１】
図５及び図６は従来の非接触ＩＣカード応用システムの一例を示すブロック図である。
【００１２】
本例では非接触ＩＣカード応用システムのアプリケーションシステム１００は例えば商店のＰＯＳシステムであり、上位装置である現金レジスタ１０１と、非接触ＩＣカードのリード・ライタ装置１０２とこのリード・ライタ装置１０２に取り付けられたアプリケーション装置であるポイントカード装置１０５とからなる。
【００１３】
顧客は非接触ＩＣカード１０をリード・ライタ装置１０２に近接させることによりカードをリード・ライタ装置１０２に認識させ、販売員は現金レジスタの操作により、商品購入額に応じたポイントを非接触ＩＣカードに加えたり、商品の購買に非接触ＩＣカードに格納されポイントを減らしたりすることができる。
【００１４】
本例ではリード・ライタ装置１０２は、非接触ＩＣカードの認識データ入出力処理を行うリード・ライタ部１０３と、現金レジスタ１０１、アプリケーション装置１０５とのデータのやりとりを行うアプリケーション部１０４に大きく別分けられる。
【００１５】
【発明が解決しようとする課題】
しかしながら、前述の如く、非接触ＩＣカードを用いて特定のサービス（この場合はポイントカードシステム）を実行させるためにはリード・ライタ装置はＩＣカードで該サービスが利用できるかを確認するために認証を実施できる機能を持つ必要がある。また、リード・ライタ装置にはアプリケーション装置を制御する機能を備えなければならない。
【００１６】
このため、非接触ＩＣカードで複数のサービスを利用できるようにするためには、異なる処理を行うことができるリード・ライタ装置及び制御ソフトを開発・設計・製造する必要があり、煩雑である。
【００１７】
このような既成のシステムに新たなシステム、たとえばクレジットカードシステムやデビッドカードシステムを追加するには、図６に示すように、ポイントカード用の非接触ＩＣカードリード・ライタユニット１０２１に加えてデビッドカード用非接触ＩＣカードリード・ライタユニット１０２２及びクレジットカード用非接触ＩＣカードリード・ライタユニット１０２３を付け加える必要がある。
【００１８】
即ち、非接触ＩＣカードを利用応用するシステムでは、一枚の非接触ＩＣカードで複数種のサービスを実現することができる（例えば、会員証とクレジットカード）が、従来、このような各システムに設置される装置は、一つの汎用装置とすることができず、それぞれのサービス・システム用に特別に設定した専用装置が必要であった。
【００１９】
本発明は、かかる現状に鑑み創案されたものであって、その目的とするところは、一のアプリケーション装置に対して、複数のアプリケーションを追加・削除することができ、かつ、複数種のサービスに対応するアプリケーション装置を増設することなく一台で対応することができる非接触ＩＣカード応用システムを提供しようとするものである。
【００２０】
【課題を解決するための手段】
上記目的を達成するため、請求項１に記載の発明にあっては、一のアプリケーションが格納されているアプリケーション装置と、該アプリケーション装置に格納されているアプリケーションを実行・削除可能な対応アクセスキーが格納されてなる非接触ＩＣカードと、を有して非接触ＩＣカード応用システムを構成し、上記アプリケーション装置は、上記一のアプリケーションとは異なるアプリケーションが追加・削除可能であり、また、上記非接触ＩＣカードは、上記アプリケーション装置に格納された上記追加されたアプリケーションを実行・削除可能とするための対応するアクセスキーが格納されて構成されてなり、該アクセスキーは、マスターカードによってのみ起動可能であることを特徴とするものである。
【００２１】
また、請求項２に記載の発明にあっては、前記非接触ＩＣカードに格納された一または追加・削除の対象アプリケーションに対応したデータを読み書きするために必要なアクセスキーを格納したアクセスキー格納部と、前記マスターカードにアクセスするために必要なアクセスキーが格納されたマスターキー格納部と、上記マスターキーを使用してマスターカードを認識するマスターキー制御部と、上記マスターカードを認識したときのみ前記アクセスキー格納部の内容を登録・変更可能とするアクセスキー制御部と、を備えて構成したことを特徴とするものである。
【００２２】
さらに、請求項３に記載の発明にあっては、前記非接触ＩＣカード応用システムは、非接触ＩＣカードをリード・ライタするリード・ライタ部と、前記アクセスキー格納部、前記マスターキー格納部、前記マスターキー制御部、前記アクセスキー制御部及び非接触ＩＣカード応用システムが制御すべきアプリケーション装置を駆動するアプリケーション駆動部と、を備えて構成したことを特徴とするものである。
【００２３】
また、請求項４に記載の発明にあっては、前記アプリケーション駆動部が、予め定められた動作を基に外部に接続された表示器、音響器、及び各種アプリケーションに対応した機器、装置を制御するインタフェースを備えて構成されていることを特徴とするものである。
【００２４】
【作用】
各請求項に係る本発明によれば、サービスに対応する専用のアプリケーション装置及びそのシステムを別途開発・製造する必要がないので、システムの開発期間を短縮できるほか多種のアプリケーション装置への対応が容易・迅速となる他、システム全体の制御も容易になる。また、予め登録されたマスターカードを非接触ＩＣカード応用システムのリード・ライタ装置に認識させることによりリード・ライタ装置のアクセスキーを変更することができ、アクセスキーをむやみに変更することができないものとすることができる。
【００２５】
【発明の実施の形態】
以下、本発明の実施の形態に係る非接触ＩＣカード応用システムを添付図面に基づいて説明する。
【００２６】
図１〜図４は発明を実施する形態の一例に係る非接触ＩＣカード応用システムを示すものである。図１は本発明に係る非接触ＩＣカード応用システムを示すブロック図、図２は図１に示した非接触ＩＣカード応用システムの制御ユニットを示すブロック図、図３は図１に示した非接触ＩＣカード応用システムの作動概要を示すフローチャート図、図４は図１に示した非接触ＩＣカード応用システムアクセスキー書き換えの状態を示すフローチャート図である。
【００２７】
本例では非接触ＩＣカード応用システムのアプリケーションシステム２０は、従来と同様に商店のＰＯＳシステムであり、上位装置である現金レジスタ３０と、非接触ＩＣカードのリード・ライタユニット５０と、このリード・ライタユニット５０と現金レジスタ３０との間に配置された非接触ＩＣカード応用ユニット４０と、この非接触ＩＣカード応用ユニット４０に取り付けられたアプリケーション装置であるアプリケーション装置６０（ポイントカードシステム用ユニット、デビッドカードシステム用ユニット、クレジットカードシステム用ユニット等）と、から構成されている。
【００２８】
また、本例では、非接触ＩＣカードとして、ユーザ用非接触ＩＣカード１０と、マスターカード１１と、が使用される。ユーザ用非接触ＩＣカード１０は、購買者に配布され、ポイントカード、デビッドカード、及びクレジットカードのいずれとして使用できるかを示すアクセスキーが格納されている。
【００２９】
マスターカード１１は、システムの管理責任者が有し、非接触ＩＣカード応用ユニットの内部状態、即ち、各アプリケーションを追加・削除するため、アクセスキーを変更できるマスターカードであることを示すマスターキーを備えている。
【００３０】
本例では、リード・ライタユニット５０は、一般的に非接触ＩＣカード読み取り用として汎用的に使用できるものであり、特別な仕様変更等を行う必要はない。
【００３１】
なお、リード・ライタユニット５０にインターネット・イントラネットを介して外部装置に接続するインタフェース部（例えばＬＡＮインタフェースやシリアルインタフェース）及び通信プロトコルを格納した格納部を設けるものとすれば、外部システム、例えば決済系のシステムとの通信を行えるものとすることができる。
【００３２】
次に非接触ＩＣカード応用ユニット４０について説明する。
【００３３】
非接触ＩＣカード応用ユニット４０は、図２に示すように、ユニット全体の制御を行う制御部４１と、現金レジスタ３０とのやりとりを行うホストインターフェース４２と、アプリケーション装置６０を駆動するアプリケーション駆動部４３と、非接触ＩＣカードのリード・ライタユニットを駆動する非接触ＩＣカードリード・ライタユニット駆動部４８と、を備える。本例ではアプリケーション駆動部には、上述したポイントカードシステム用ユニット、デビッドカードシステム用ユニット、クレジットカードシステム用ユニット等、必要に応じた複数の駆動機能が予め備えられており、制御部４１により、指定されたアプリケーションのみを駆動できるように設定できる。
【００３４】
また、本例では各アプリケーション装置に対応するアクセスキーを格納したアクセスキー格納部を格納したマスターキー格納部４３と、ユーザ用非接触ＩＣカード１０に格納されたアクセスキーとアクセスキー格納部４４に格納されたキーとが一致したアプリケーション装置を認識するアクセスキー制御部４５と、が設けられている。
【００３５】
アクセスキー制御部４５では、ユーザ用非接触ＩＣカード１０に格納されたキーと一致するアクセスキーが指定するアプリケーション装置６０のみを使用可能とする。
【００３６】
更に、本例ではマスターカード１１が格納したマスターキーを格納するマスターキー格納部４６と、このマスターキー格納部４６に格納されたマスターキーとマスターカード１１が格納したマスターキーとが一致することを確認するマスターキー制御部４７と、が設けられている。
【００３７】
このマスターキー制御部４７は、マスターカード１１が真正なことを確認した場合のみ前記アクセスキー制御部４５を介してアクセスキー４４が格納しているアクセスキーを書き換えることを許可する。この書き換えにより、管理者は現金レジスタその他の手段から前記制御部４１を介してアプリケーション駆動部４３を制御し、非接触ＩＣカード応用ユニット４０で使用可能なアプリケーション装置を選択することができる。
【００３８】
次に、非接触ＩＣカード応用システムの動作について説明する。
【００３９】
まず、システムに係るアプリケーションを追加・削減する場合は、管理者はマスターカード１１を非接触ＩＣカードリード・ライタユニット５０に近接させる。すると、図３に示すように、マスターキー制御部４７は、マスターカード１１に格納されたカード情報を読み取り（ＳＡ１）、読み取ったマスターキー情報とマスターキー格納部４６に格納されたマスターキー情報とを比較する（ＳＡ２）。これにより、真正のマスターカードと認証されると、管理者は、現金レジスタ３０から制御部４１アクセスキー制御部４１を介してアクセスキー格納部４１に格納されたアクセスキーを追加、削減、変更等の処理を行い、システムで使用できるアプリケーション装置を追加・削減等することができる（ＳＡ３）。この形態例では、上記非接触ＩＣカード応用ユニット４０には、予め複数のサービスに対応するアプリケーションが格納されているため、新たな非接触ＩＣカード応用ユニットを追加する必要はない。勿論、この発明にあっては、予め一のアプリケーションが格納されているアプリケーション装置に、後から、他のサービスを受けることができるアプリケーションを追加するように構成してもよい。
【００４０】
一方、ユーザが非接触ＩＣカード応用システムを使用するときには、図４に示すように、ユーザ用非接触ＩＣカード１０を非接触ＩＣカードリード・ライタユニット５０に近接させ読み取らせる（ＳＢ１）。すると制御部４１は、ユーザであることを認証した（ＳＢ２）後、アクセスキー制御部４５は、カードのアクセスキー情報とアクセスキー格納部４４に格納されたアクセスキー情報とを比較し（ＳＢ３）、一致しているアクセスキーが示すアプリケーション装置の使用を許可する（ＳＢ４）。
【００４１】
尚、本発明の非接触ＩＣカード応用システムは、上記した実施の形態に限定されるものではなく、本発明の要旨を逸脱しない範囲内において種々変更を加え得ることは勿論である。
【００４２】
【発明の効果】
以上、説明したように、本発明に係る非接触ＩＣカード応用システムによれば、複数種のアプリケーションに対応する専用のアプリケーション装置及びシステムをその都度開発・製造する必要がなく、一のアプリケーション装置に、利用しようとするアプリケーションを追加・削除するだけで、一のアプリケーション装置で複数種のアプリケーションサービスに対応させることができるので、システムの開発期間を短縮できる他、多種のアプリケーション装置への対応が容易・迅速となり、また、システム全体の制御も容易になる。さらに、予め登録されたマスターカードを、非接触ＩＣカード応用システムのリード・ライタ装置に認識させることにより、リード・ライタ装置のアクセスキーを変更することができ、アクセスキーをむやみに変更することができないものとすることができる等、幾多の優れた効果が得られる。
【図面の簡単な説明】
【図１】本発明の実施の一形態例に係る非接触ＩＣカード応用システムを示すブロック図である。
【図２】図１に示した非接触ＩＣカード応用システムの制御ユニットを示すブロック図である。
【図３】図１に示した非接触ＩＣカード応用システムの作動を示すフローチャートである。
【図４】図１に示した非接触ＩＣカード応用システムの作動を示すフローチャートである。
【図５】従来の非接触ＩＣカード応用システムを示すブロック図である。
【図６】従来の非接触ＩＣカード応用システムを示すブロック図である。
【符号の説明】
１０  非接触ＩＣカード（ユーザ用非接触ＩＣカード）
１１  マスターカード
３０  上位装置（現金レジスタ）
４０  非接触ＩＣカード応用ユニット
４１  制御不
４２  ホストインターフェース
４３  アプリケーション駆動部
４４  アクセスキー格納部
４５  アクセスキー制御部
４６  マスターキー格納部
４７  マスターキー制御部
４８  リード・ライタユニット駆動部
５０  非接触ＩＣカードリード・ライタユニット
【図１】
2004287985.tif 000003
【図２】
2004287985.tif 000004
【図３】
2004287985.tif 000005
【図４】
2004287985.tif 000006
【図５】
2004287985.tif 000007
【図６】
2004287985.tif 000008